(57)【要約】【課題】紫外線殺菌灯を有する通水管路の排水バルブを閉じても、バルブ下流側管路に殺菌灯の殺菌力が作用する紫外線殺菌装置を提供する。【解決手段】給水口と排水口を有する通水管路に紫外線殺菌通水部を設け、この殺菌通水部の下流側通水管路に開閉バルブを介装する。前記殺菌通水部は、通水管路に連通する通水内筒を同軸に配設するとともに、外筒ケーシングと通水内筒間の軸方向に殺菌灯を配設してなり、前記開閉バルブは、前記通水管路に接続されるバルブケーシングとこのバルブケーシングに挿入された回転バルブ体からなり、該回転バルブ体は、バルブケーシング内周面との摺接回転位置により通水管路を開閉する切欠き通水部を有するとともに、切欠き通水部が閉鎖位置にあるときに前記殺菌通水部の殺菌光を下流側へ透過させる透明体を液密に内臓している。開閉バルブの透明体は、好ましくは、下流側通水管路及び排水口の内壁へ殺菌光を拡散照射するレンズを使用する。【選択図】図１
2010088826.tif 000002
【特許請求の範囲】
【請求項１】
給水口１と排水口２の間に殺菌通水部３を設け、この殺菌通水部３の下流側に開閉バルブ４を介装した通水管路５の殺菌装置において、前記殺菌通水部３は、通水管路５に連通する通水内筒８を同軸に配設するとともに、外筒ケーシング７と通水内筒８間の軸方向に殺菌灯９を配設してなり、前記開閉バルブ４は、前記通水管路５に接続されるバルブケーシング１９とこのバルブケーシング１９に挿入された回転バルブ体２０からなり、該回転バルブ体２０は、バルブケーシング１９内周面との摺接回転位置により通水管路５を開閉する切欠き通水部２１を有するとともに、切欠き通水部２１が閉鎖位置にあるときに前記殺菌通水部３の殺菌光を下流側へ透過させる透明体２２を液密に内臓していることを特徴とする通水管路の紫外線殺菌装置
【請求項２】
殺菌光を透過させる回転バルブ体２０の透明体２２が透過光を拡散させる機能を有するレンズで構成されていることをさらに特徴とする請求項１記載の通水管路の紫外線殺菌装置
【請求項３】
殺菌通水部３の通水内筒８が、この通水内筒８の内周面に摺接し、且つ、水を通す洗浄刷毛１２を外周に設けた洗浄円盤１３と、前記通水内筒８内において前記洗浄円盤１３を上流側へ付勢し、通水管路５の通水圧により下流側への移動を許容するコイルばね１６と、を具備することを特徴とする請求項１又は２記載の通水管路の紫外線殺菌装置
【請求項４】
洗浄円盤１３の上流側対向面に、通水圧によって回転力が付与される羽根片１４を設け、この洗浄円盤１３を前記コイルばね１６先端のばね受け１５の支持ロッド１７に回転可能に係着したことを特徴とする請求項１、２又は３記載の通水殺菌装置
【発明の詳細な説明】
【技術分野】
【０００１】
本発明は、通水管路に介装される紫外線殺菌装置に関する。
【背景技術】
【０００２】
循環流体系路の外筒内に、紫外線殺菌灯を取り囲んだガラス筒を同軸に配置し、外筒とガラス筒間を通過する流体に、ガラス筒内の紫外線殺菌光を照射して殺菌するとともに、殺菌灯を取り囲んだガラス筒と外筒間の流体通路に洗浄液の噴射反力でスプリンクラー式洗浄装置を設けた流水路の紫外線殺菌装置が実公昭６４−２５３９５号公報に開示されている。
【特許文献１】実公昭６４−２５３９５号公報
【発明の開示】
【発明が解決しようとする課題】
【０００３】
循環通水路に上記のような紫外線殺菌装置を介装する場合は、殺菌水が管路を循環するので殺菌装置の下流側管路も殺菌状態に保持される。ところが、殺菌装置の下流側管路を取水口として開放し、殺菌装置の下流側又は上流側管路に開閉バルブを設けた殺菌水管路においては、バルブを閉じると殺菌水は下流側に流れない。このため、バルブ下流側の管路開放口に雑菌が繁殖し、バルブを開いたときに雑菌を多く混入した水が給水され、きわめて不衛生である。
【０００４】
従って、本発明の目的は、バルブを閉じて殺菌水の流れを止めても、バルブ下流側管路に紫外線の殺菌力が作用する通水管路の紫外線殺菌装置を提供することにある。
【課題を解決するための手段】
【０００５】
上記の目的を達成するために、本発明の紫外線殺菌装置は、給水口と排水口の間に殺菌通水部を設け、この殺菌通水部の下流側に開閉バルブを介装した通水管路の殺菌装置において、前記殺菌通水部は、通水管路に連通する通水内筒を同軸に配設するとともに、外筒ケーシングと通水内筒間の軸方向に殺菌灯を配設してなり、前記開閉バルブは、前記通水管路に接続されるバルブケーシングとこのバルブケーシングに挿入された回転バルブ体からなり、該回転バルブ体は、バルブケーシング内周面との摺接回転位置により通水管路を開閉する切欠き通水部を有するとともに、切欠き通水部が閉鎖位置にあるときに前記殺菌通水部の殺菌光を下流側へ透過させる透明体を液密に内臓していることを特徴とする。
【０００６】
殺菌光を透過させる回転バルブ体の透明体は、好ましくは、透過光を下流側で拡散させ、バルブ下流側管路の内壁面に殺菌光を照射する機能を有するレンズを使用する。
【０００７】
好ましくは、殺菌通水部の通水内筒を、この通水内筒の内周面に摺接し、且つ、水を通す洗浄刷毛を外周に設けた洗浄円盤と、前記通水内筒内において前記洗浄円盤を上流側へ付勢し、通水管路の通水圧により下流側への移動を許容するコイルばねで構成する。
【０００８】
さらに好ましくは、洗浄円盤の上流側対向面に、通水圧によって回転力が付与される羽根片を設け、この洗浄円盤を前記コイルばね先端のばね受けの支持ロッドに回転可能に係着する。
【発明の効果】
【０００９】
殺菌通水部の下流側に設けた開閉バルブに、上流側から下流側へ水を通す切欠き通水部を形成するとともに、この切欠き通水部に直交する紫外線透過透明体を液密に嵌装したので、開閉バルブを閉じたとき、殺菌通水部の紫外線が開閉バルブの透明体を通して下流側管路に照射され、下流側管路、特にその開放口までが殺菌される。従って、開放口からの雑菌の浸入が防止される。
【発明を実施するための最良の形態】
【００１０】
以下に、本発明の実施例を添付の図面に基づいて説明する。
本発明の紫外線殺菌装置は、図１に示すように、給水口１と排水口２を有する通水管路の途中に、殺菌通水部３を介装するとともに、この殺菌通水部３と前記排水口２の間の通水管路５に開閉バルブ４を介装してある。
【００１１】
殺菌通水部３は、一側に前記通水管路５の給水側が接続され、他側に通水管路５の排水側が接続される外筒ケーシング７を有し、この外筒ケーシング７の内部に、前記通水管路５と連通して水を通過させる通水内筒８が同軸に一体結合されているとともに、外筒ケーシング７と通水内筒８の間の軸方向に紫外線殺菌灯９が配設されている。
【００１２】
殺菌通水部３の通水内筒８は、紫外線を透過するアクリル、ガラス等の透明材からなる円筒体からなり、通水孔１０を有する上流側ベース部材１１ａと下流側ベース部材１１ｂ間に液密に結合されているとともに、通水内筒８内には、外周に前記通水内筒８の内面に接触する刷毛１２を設けた洗浄円盤１３が通水内筒８の内面に沿って摺動可能に挿入されている。
洗浄円盤１３は外周の刷毛１２部分を通して水が通過するようになっているが、必要に応じて洗浄円盤１３面に通水孔を形成してもよい。
また、洗浄円盤１３の上流側板面には通水の流水圧によって洗浄円盤１３を回転させる羽根片１４が一体に形成されている。
【００１３】
通水内筒８内の前記下流側ベース部材１１ｂと前記洗浄円盤１３の間にばね受１５を介してコイルばね１６が連結されており、洗浄円盤１３がこのコイルばね１６により弾力的に支持されている。
このコイルばね１６は、殺菌通水部３下流側の前記開閉バルブ４を閉じたときに通水内筒８内の水圧上昇により、洗浄円盤１３をその羽根片１４を介して下流側ベース部材１１ｂ側へ回転させながら摺動させ、開閉バルブ４を開くと通水内筒８内の水圧減少により、洗浄円盤１３がコイルばね１６の弾発力で上流側ベース部材１１ａの方向へ摺動するばね圧に設定する。
【００１４】
上流側ベース部材１１ａと下流側ベース部材１１ｂの軸芯間に支持ロッド１７が固設されており、前記洗浄円盤１３は中心部に形成した通孔１８を支持ロッド１７に通して安定支持させ、支持ロッド１７をガイドとして、垂直姿勢（横型の場合）、水平姿勢（縦型の場合）を保持して摺動するようにしてある。
【００１５】
通水管路５の殺菌通水部３下流側に設置した前記開閉バルブ４は、図３乃至図６に示すように、通水管路５に連通するバルブケーシング１９と、このバルブケーシング１９内に挿入された回転バルブ体２０から構成されている。
この回転バルブ体２０は、球体の側面に上流側から下流側に通路を開く切欠き通水部２１を有するとともに、該切欠き通水部２１と直交する中心軸方向に、殺菌通水部３内の殺菌光を透過させる透明体２２が液密に嵌装されている。
【００１６】
かくして、図３に示すように、バルブケーシング１９内の回転バルブ体２０を摺接回転して前記切欠き通水部２１が回転バルブ体２０の上流側から下流側へ開通するように位置を合わせると、殺菌通水部３で殺菌された殺菌水（実線矢印）と紫外線殺菌光線（点線矢印）が回転バルブ体２０の上流側から下流側へ前記切欠き通水部２１を通って通過する。従って、回転バルブ体２０とその下流側の通水管路５は紫外線殺菌水及び紫外線それ自体によって殺菌される。
【００１７】
他方、この状態から、図４に示すように、回転バルブ体２０を水平方向へ９０度回転させると、回転バルブ体２０の球面で殺菌水の流れが停止されるとともに、切欠き通水部２１と直交に配設された液密の透明体２２が、回転バルブ体２０の上流側から下流側へ臨む。その結果、殺菌通水部３内の紫外線（点線矢印）が透明体２２を透過して開閉バルブ４の下流側通水管路５内に照射されるようになっている。すなわち、この状態では開閉バルブ４は殺菌水は停止するが、殺菌紫外線は下流側に透過して下流側通水管路５内部に紫外線による殺菌力を付与する。
【００１８】
開閉バルブ４の回転バルブ体２０に液密に組み込まれる透明体２２は、好ましくは、透過した紫外線殺菌光が、バルブ下流側通水管路５の内壁面に拡散して照射される機能を有する、例えば凸レンズなどの透明体を使用する。
なお、図中、符号２３は回転バルブ体２０を水平方向に回転して通水位置から殺菌光透過位置へ切換えるための把手である。
【産業上の利用可能性】
【００１９】
殺菌・浄化を必要とする家庭浴水、公共施設、工業用水等の通水回路に広く利用され、衛生管理に貢献する。
【図面の簡単な説明】
【００２０】
【図１】本発明の実施例による通水管路の紫外線殺菌装置の一部切欠き透視図
【図２】図１の装置に使用される洗浄円盤平面図
【図３】図１の装置に使用される開閉バルブの縦断面図
【図４】図３の開閉バルブの回転バルブ体を９０°回転させた状態の縦断面図
【図５】図４のＡ−Ａ線断面図
【符号の説明】
【００２１】
１…給水口
２…排水口
３…殺菌通水部
４…開閉バルブ
５…通水管路
７…外筒ケーシング
８…通水内筒
９…紫外線殺菌灯
１０…通水孔
１１ａ…上流側ベース部材
１１ｂ…下流側ベース部材
１２…刷毛
１３…洗浄円盤
１４…羽根片
１５…ばね受
１６…コイルばね
１７…支持ロッド
１８…通孔
１９…バルブケーシング
２０…回転バルブ体
２１…切欠き通水部
２２…透明体
２３…把手
【図１】
2010088826.tif 000003
【図２】
2010088826.tif 000004
【図３】
2010088826.tif 000005
【図４】
2010088826.tif 000006
【図５】
2010088826.tif 000007